Podtech/llm-jp-corpus-v4-ja_patent huggingface dataset:
(57)【要約】【課題】  漢字クロスワ−ドパズルを解くとき、番号の数字が多いので、必要な数字を探すのは困難である。【解決手段】  図２に示すように、１位、１０位、２０位、の数字を１桁の数字で表すことで、必要な番号の数字を容易に探すことができる。  図１、図２、図３を、図４のようにつなげれば、数字を容易に探すことのできる表が完成する。【選択図】図４
2007325902.tif 000002
【特許請求の範囲】
【請求項１】
図１の数字を、図２の形式で表示する。１位、１０位、２０位、等も、すべて一位の位を１桁で表示する。
【請求項２】
図３の形式で、図２に表示された数字を集計して表示する。
【請求項３】
図４の形式で、図１、図２、図３をまとめたものにする。
【発明の詳細な説明】
【技術分野】
【０００１】  この発明は、漢字クロスワ〜ドパズルの数字を、容易に探す方法に係るものである。
【背景技術】
【０００２】  従来より、漢字クロスワ〜ドパズルは、図１の形式である。同じ数字の場所には同じ漢字が入り、縦や横の熟語を作るものである。
【発明の開示】
【発明が解決しようとうする課題】
【０００３】  図１の漢字クロスワ〜ドパズルは、この特許願のために試作したものであるため、漢字の数も少ないものである。しかし市販のものは漢字の数が多く、それに対応する数字の数も多くて、必要な番号の数字を探すのは大変困難である。
【課題を解決するための手段】
【０００４】  探したい数字を、図２のように表示をする。１位の数字は１位の行に、１０位の数字は１０位の行に一位の桁のみを表示する、２０位以上も同じように表示する。
図２の４、５、６、は、１桁の数字で「７」と表示されているが、４は１位の行にあるので「７」、５は１０位の行にあるので「１７」である。従って「２７」を探したいときは、２０位の行の「７」の列を探せば、容易に「２７」を見つけることができる。
図３は、それぞれの数字の使われている頻度である。７は「１９」が２箇所あり、８は「２７」が２箇所あることを表している。
【発明の効果】
【０００５】    図１の１，２，３、は、同じ「５」であるから、同じ漢字が入ることになる。これを、図１の漢字クロスワ〜ドパズルだけで探すのは困難である。探しやすい補助的な方法があればよい。
図１の１の「５」は４字熟語で「園」の前に付くから、一応「何々公園」と考えられ、「公」と思われるが、他の場所も参考にしたくなる。
図２の表のように表示すれば、１位の行の「５」の列を探すことで、２，３、の「５」を容易に見つけることができる。
２や３の「５」が「私」や「平」に付くので「５」は「公」と確信できる。
更に、図３に表示された数が大きいほど、大や小、上や下など、頻繁に使われる漢字であると考えられる。
【発明を実施するための最良の形態】
【０００６】  図１、図２、図３を、図４のようにつなげれば、数字を容易に探すことのできる表が完成する。
【図面の簡単な説明】
【０００７】
【図１】  従来より使われている、漢字クロスワ〜ドパズルである。
【図２】  各数字の位置を表示する表である。
【図３】  各数字の頻度を表示する表である。
【図４】  図１、図２、図３を、組み合わせた表である。
【符号の説明】
【０００８】１、２、３、      「５」の漢字              ４、      「７」を表す
５、              「１７」を表す            ６、      「２７」を表す
７，８、          同じ漢字の頻度を表す
【図１】
2007325902.tif 000003
【図２】
2007325902.tif 000004
【図３】
2007325902.tif 000005
【図４】
2007325902.tif 000006
(57)【要約】【課題】本発明は、アスリートが利き足でない足の訓練をおこなうにあたり、物理的反復トレーニングに頼っていたものをイメージトレーニングによって効率よく、無理なくおこなうことができることを課題にしている。【解決の手段】アスリートのスポーツシューズの甲の色を取替えてトレーニングすることで視覚的な感覚にうったえてより一層のスキルアップを図る。【選択図】図２
2007325941.tif 000002
【特許請求の範囲】
【請求項１】
スポーツシューズの左右の甲部分のパットの色を取替えてその色をプレイヤー自身の視覚にうったえることでイメージトレーニングをおこなうことができる。
【請求項２】
スポーツシューズにファスナー又はマジックテープをつけることによって簡単に着脱ができる。
【発明の詳細な説明】
【発明の詳細な説明】
【技術分野】
【０００１】  本発明は、利き足と利き足でない足をトレーニング中に、トレーニングシューズの色を取替えてプレイヤー自身の視覚にうったえることにより、利き足でない足をより一層強化し利き足と変わらないような感覚までもっていくことができる。
例えば、利き足でない足の甲の色を明るく軽い色にして、利き足の甲の色を重い色にしてプレイヤーの目から見える感覚を利用してトレーニングすると、利き足でない足をできるだけ利き足の感覚に近くなる様にし、両足のバランスをとることができる。
【背景技術】
【０００２】  従来、発明の属する技術分野で述べたイメージトレーニングは今までおこなわれていなかった。
【発明が解決しようとする課題】
【０００３】  利き足でない足のトレーニングを物理的な反復練習を重ねることで克服してきたことを視覚にうったえるイメージトレーニングで解決しようとするものである。
【課題を解決するための手段】
【０００４】  上記課題を解決するためにトレーニングをおこなう中で利き足、利き足でない足のトレニーングシューズの足の甲の部分（プレイヤー自身の目から見える自分の甲の部分）の色替えとそれの調整をおこなっていく。
【０００５】  そして、上記の甲の色は簡単に取り外しができる。
【発明を実施するための最良の形態】
【０００６】  （イ）取替え自由な甲パットの色は軽い色から重い色、明るい色から暗い色に多数のバリエーションを揃えられる。
（ロ）甲パットはファスナー又はマジックテープによる着脱方式ができる。
【発明の効果】
【０００７】  本発明は、上記のとおりに構成されるので次ぎの効果を奏する。
【図面の簡単な説明】
【図１】  甲パットをファスナーによって着脱したところ。
【図２】  甲パットをマジックテープによって着脱したところ。
【符号の説明】
Ａ  スポーツシューズ
Ｂ  甲パット
Ｃ  ファスナー
Ｄ  マジックテープ
【図１】
2007325941.tif 000003
【図２】
2007325941.tif 000004
(57)【要約】【課題】  従来のブレード付きルアーでは、フックとブレードの取り付け位置が近い場合、ブレードが大きく動くとお互いに絡んでしまい釣行の妨げになる事が多い。また、フックとブレードの取り付け位置が遠い場合ブレードに好奇心を持って食いついた肉食性魚類は、フックにかからない事もある。【解決手段】  上記課題を解決するために、請求項１及び請求項２記載のブレード付きのルアーにブレードの動きを適切に制御するリングをルアー本体に外付けする事により、ブレードとフックが絡むトラブルを軽減し、ブレードとフックの位置を近づける事も可能にし、効率と釣果向上を可能とする。【選択図】図１
2007325577.tif 000002
【特許請求の範囲】
【請求項１】
ブレードの付いたルアーに於いて、ルアー本体に取り付けられたブレードまたはブレード取付部が、ルアー本体に別に外付けされた、穴の空いた、またはリング状の物を通って取り付けられたルアー。
【請求項２】
前記の、穴の空いた、またはリング状の物の形状は、円形、楕円形、三角形、四角形をはじめ、いかなる形状の請求項１に記載のルアー。
【発明の詳細な説明】
【技術分野】
【０００１】  本発明は、ブレードの付いたルアーに於いて、ルアー本体に取り付けられたブレードまたはブレード取付部が、ルアー本体に別に外付けされた、穴の空いた、またはリング状の物を通って取り付けられたルアーの技術に関する。
【背景技術】
【０００２】  従来のブレード付きルアーについて、図２及び図３に基づき説明する。図２及び図３は、従来のブレード付きルアーの一例を示す側面図である。【０００３】  図２及び図３に示すようにブレード付きのルアー１のブレード２の位置は様々な位置に取り付けられ、またブレードも様々な形状のものがあり、１枚板から形成されたものが多いが、１枚板を複数枚取り付けたものもある。【０００４】  ブレード２は、回転を可能にするスイベル３等で連結されており、ルアーを動かす事によりブレードが水流を受け回転し、そのきらめきで、肉食性魚類の好奇心をかき立てる。【０００５】  スイベル３は多種多様なものが存在し、まれに回転しないものを採用する場合もある。
【発明の開示】
【発明が解決しようとする課題】
【０００６】  上記のような従来のルアーでは、図２のようにブレード２とフック４の取り付け位置が近い場合、ブレード２が大きく動くとフック４と絡んでしまう事が多い。【０００７】  図３に示すようにブレード２とフック４の取り付け位置が遠い場合ブレード２に好奇心を持って食いついた肉食性魚類は、フック４にかからない事もある。
【課題を解決するための手段】
【０００８】  本発明の好ましい実施形態について以下に図面を参照して説明する。図１は本発明に係るブレード付きのルアーに於ける、リングの付いたルアーの一例を示す側面図である。【０００９】  図１に示すようにブレード２とルアー１を連結しているスイベル３部分を適切な位置に取り付けたリング５の中に通して固定する。【００１０】  上記のリング５の形状は円形、楕円形、三角形、四角形をはじめ、いかなる形状でも可能であり、またリング状でなくとも、穴の空いたいかなるものでも可能である。また、いかなる取付方法でも可能である。
【発明の効果】
【００１１】発明は以上に説明したような構成により次のような効果を奏する。
ブレード付きのルアーに於いて、ブレードとフックが絡むトラブルを回避し、またブレードとフックを近接することが可能となり、ブレードに好奇心を持って食いついた肉食性魚類が、フックにかかりやすくなり、釣果の向上に繋がる。
【発明を実施するための最良な形態】
【００１２】  本発明を実施するためには、リングを適切な位置に配置し、フックとブレードが離れすぎないようにする。またスイベルに対する位置も考慮し、ブレードの垂れ下がる長さにも考慮が必要になる。またブレードの動きを妨げすぎないように考慮して位置を決定する。
【実施例】
【００１３】  本発明を実際に実施した例を述べる。図４は実際に作られた本発明のブレード付きルアーのサンプル品である。フックとブレードが絡むトラブルが著しく減少し、釣果の向上に繋がった。
【産業上の利用可能性】
【００１４】  上記のように釣行時のトラブルが減少し、効率よく釣りをする事が出来る。またリングの中にスイベル付きブレードを入れる事により、ブレードが動いたときにリングとの衝突音が発生し、魚の好奇心を高め、より釣果の向上に繋がる事になる。
【図面の簡単な説明】
【００１５】
【図１】  本発明によるブレード付きルアーに於ける、リングの付いたルアーの一例の側面図である。
【図２】  従来の技術によるブレード付きルアーの一例の側面図である。
【図３】  従来の技術によるブレード付きルアーの一例の側面図である。
【図４】  本発明によるブレード付きルアーに於ける、リングの付いたルアーの試作品の側面図である。
【符号の説明】
【００１６】１  ルアー本体
２  ブレード
３  スイベル
４  フック
５  リング
【図１】
2007325577.tif 000003
【図２】
2007325577.tif 000004
【図３】
2007325577.tif 000005
【図４】
2007325577.tif 000006
(57)【要約】【課題】  犬の出産時、及び出産後生後１ヶ月迄は、使用できる飼育用具を提供する。【解決手段】  ベース体と、該ベース体に着脱可能に嵌合する蓋体とより構成され、前記蓋体の天板中央には犬などの任意の親動物が活動可能な大きさの開口部が形成され天板が庇を形成するものであり、蓋体の壁部と庇の間に形成された周縁空間は子供の動物が横たわって眠れるとともに親動物は少なくとも胴部が侵入できないものであることを特徴とする。  また、ベース体床上面には、滑り止めマットを備えたことを特徴とする飼育用具。【選択図】図１
2007325579.tif 000002
【特許請求の範囲】
【請求項１】
ベース体と、該ベースに着脱可能に嵌合する蓋体とより構成され、前記蓋体の天板中央には犬などの任意の親動物が活動可能な大きさの開口部が形成され、天板が庇を形成するものであり、蓋体の壁部と庇の間に形成された周縁空間は子供の動物が横たわって眠れるとともに親動物は少なくとも胴部が侵入できないものであることを特徴とする飼育用具。
【請求項２】
ベース体床上面には、滑り止めマットを備えたことを特徴とする請求項１記載の飼育用具。
【発明の詳細な説明】
【技術分野】
【０００１】  本発明は、犬の出産時から、産後間もない子犬の事故死、窒息死を防ぐ為の道具に関するものである。
【背景技術】
【０００２】  従来、飼育用具というものはなかった。
【発明の開示】
【発明が解決しようとする課題】
【０００３】  そのため、次のような問題点があった。
（イ）母犬は、側壁や隅にくっついて寝る為、子犬が背後に回っているのに気づかずそのまま窒息死してしまうことが多かった。
（ロ）子犬が、母犬から離れていると、母犬は慌てて自分のそばに寄せたがっていた。
本発明は、これらの問題点を解決するためになされたものである。
【課題を解決するための手段】
【０００４】  ベース体と、該ベース体に着脱可能に嵌合する蓋体とより構成され、前記蓋体の天板中央には犬などの任意の親動物が活動可能な大きさの開口部が形成するものであり、蓋体の壁部と庇の間に形成された周縁空間は子供の動物が横たわって眠れるとともに親動物は少なくとも胴部が侵入できないものであることを特徴とする。
また、ベース体床上面には滑り止めマットを備えたことを特徴とする飼育用具。
【発明の効果】
【０００５】  子犬が背後に回っても親犬の寝ている背中の方には空間があるため、子犬が窒息死することはない。
また、滑り止めマットを備えた場合、親犬も子犬も滑ることなく活動しやすくなる。
【発明を実施するための最良の形態】
【０００６】  以下、本発明の実施の形態について図１から図３を用いて説明する。
本発明は図１に示すように、ベース体（５）と蓋体（１）とより構成される。ベース体（５）は、上面が開口状態となった箱形状となっている。この際、ベース体（５）周壁は任意のマットが収納できるとともに、蓋体（１）のストッパーとしての役割を果たす高さとなっている。
蓋体（１）は、周壁と庇（２）より構成される。周壁は前記ベース体（５）周壁と嵌合するものであり、箱状となっている。庇（２）は周壁上面に設けられた天板の中央が開口部（６）となった形状となっている。周壁と庇（２）、ベース体（５）により収納空間が形成されている。この収納空間は犬や猫などの動物の子供が横たわった状態で納まるとともに動物の親の胴部が入らないように周壁並びに庇（２）となっている。
また、上面開口部は親動物が立位で活動できる大きさとなっている。またベース体（５）には滑り止めマット（４）が備えられている。該滑り止めマット（４）はベース体床面前面を覆う大きさ形状となっている。素材はゴムやシリコン等のように防滑性のあるものであり、上面に小さな突起が複数分散された状態で設けられている。
本発明は以上の構成によりなる。
以下、使用方法について説明する。
尿漏れ防止のためのベース体（５）に滑り止付ゴムマット（４）を敷き込み、蓋体（１）をのせる。出産が始まったら開口部（６）に親を入れ、出産させる。出産後、子供が親の背後に回っていても空間があるため、窒息死することがなくなった。
【図面の簡単な説明】
【０００７】
【図１】  本発明の斜視図
【図２】  本発明の分解斜視図
【図３】  全体図  断面図
【図４】  断面図
【図５】  母親立位図
【符号の説明】
【０００８】    １  蓋体
２  庇
３  側壁
４  滑り止付ゴムマット
５  ベース体
６  開口部
【図１】
2007325579.tif 000003
【図２】
2007325579.tif 000004
【図３】
2007325579.tif 000005
【図４】
2007325579.tif 000006
【図５】
2007325579.tif 000007
(57)【要約】      （修正有）【課題】１年間経過しても、収穫された旬の状態で食べられる、ワラビの保存方法の提供。【解決手段】収穫した新鮮ワラビを、樽容器の内底に並べ置く、その上に灰を適当なる層厚で撒く。これを数回繰り返して、新鮮ワラビと灰を積み重ねた積層を形成する、この状態にて適当なる量の７０℃の湯を樽容器の上から注ぎ込み、次にこの積層の一番上に、押さえ蓋を被せて、この押さえ蓋の上に、重石を乗せて押さえる、この状態にて約２時間放置した後に、樽容器より新鮮ワラビを取り出して、口を開けた状態の、保存用ポリ袋に入れて、そのまま２時間放置し、その後前記ポリ袋の口を綴じて冷凍する、そのまま１年後に、保存用ポリ袋から出して、自然解凍を行い、水が奇麗になるまで水洗いをする。【選択図】図１
2007325578.tif 000002
【特許請求の範囲】
【請求項１】
収穫した新鮮ワラビ（１）を、樽容器（２）の内底に並べ置く、その上に灰（３）を適当なる層厚で撒き、さらにその灰（３）の上に新鮮ワラビ（１）を並べ置き、その上にまた灰（３）を適当なる層厚で撒き、これを何回か繰り返して、新鮮ワラビ（１）と灰（３）を積み重ねた、何段かの積層を形成する、この状態にて適当なる量の７０℃の湯（１０）を樽容器（２）の上から注ぎ込み、次にこの積層の一番上に、押さえ蓋（４）を乗せて、この押さえ蓋（４）の上に、重石（５）を乗せて押さえる、この状態にて約２時間放置した後に、樽容器（２）より新鮮ワラビ（１）を取り出して、口を開けた状態の、保存用ポリ袋（６）に入れて、そのまま２時間放置し、その後前記ポリ袋の口を綴じて、本格的に冷凍保存（７）を開始する、そのまま１年後に、冷凍保存（７）より取り出して水の中で、保存用ポリ袋（６）から出して、自然解凍（８）を行い、水洗い（９）をしてなる、収穫時そのままに長期間新鮮なワラビ。
【発明の詳細な説明】
【技術分野】
【０００１】  本発明は、長期間新鮮な状態で保存出来ないとされる、ワラビの長期保存技術に関するものである。
【背景技術】
【０００２】  従来、ワラビ等は旬に食するものであり、長期保存する方法技術は見つからなかった。
【発明の開示】
【発明が解決しようとする課題】
【０００３】  その為、収穫時期にすぐ調理して食するしかなく、季節外れに新鮮なワラビを食べることは出来なかった。
これらを改善するために本発明はなされたのである。
【課題を解決するための手段】
【０００４】  これらの課題を解決する手段として、収穫したばかりの新鮮ワラビ（１）を、樽容器（２）の内底に並べて置く。その上に灰（３）を適当なる層厚で撒いて、さらにその灰（３）の上に、また新鮮ワラビ（１）を並べ置き、その上にまた灰（３）を適当なる層厚で撒き、これを何回か繰り返して、新鮮ワラビ（１）と灰（３）を積み重ねた、何段かの積層を形成する。この状態にて適当なる量の、７０℃の湯（１０）を樽容器（２）の上から注ぎ込み、次にこの積層の一番上に、押さえ蓋（４）を乗せて、この押さえ蓋（４）の上に、重石（５）を乗せて押さえる。この状態にて約２時間放置した後に、樽容器（２）より新鮮ワラビ（１）を取り出して、口を開けた状態の、保存用ポリ袋（６）に入れて、そのまま粗熱を取るために２時間放置する。その後、空気を抜いて前記ポリ袋の口を綴じて、本格的に冷凍保存（７）を開始する。そのまま１年後に、冷凍保存（７）より取り出して水の中で、保存用ポリ袋（６）から出して、自然解凍（８）を行い水が奇麗になるまで、水洗い（９）をする。
本発明は以上のような構成よりなる、収穫時そのままに長期間新鮮なワラビである。
【発明の効果】
【０００５】  保存して、１年後に食べたが、収穫時の新鮮な状態の食感であり、新鮮ワラビの特徴である、適度のヌメリと歯ざわり、味、共に季節外れの、新鮮な美味を提供してくれた。
【発明を実施するための最良の形態】
【０００６】    本発明は、旬な時期にしか食べられない、貴重な新鮮ワラビを、季節外れの時期に、旬そのままに、食したい希望をかなえるための、ひらめきと研究によって達成したものであり、その最良の形態は、新鮮ワラビ（１）を、樽容器（２）の内底に並べ、その上に灰（３）を適当なる層厚で撒き、さらにその灰（３）の上に新鮮ワラビ（１）を並べその上にまた灰（３）を適当なる層厚で撒き、これを何回か繰り返して、新鮮ワラビ（１）と灰（３）を積み重ねて、何段かの積層を形成する。この状態にて適当なる量の７０℃の湯（１０）を樽容器（２）の上から注ぎ込み、次にこの積層の一番上に、押さえ蓋（４）を乗せて、この押さえ蓋（４）の上に、重石（５）を乗せて押さえる。この状態にて約２時間放置した後に、樽容器（２）より新鮮ワラビ（１）を取り出して、口を開けた状態の、保存用ポリ袋（６）に入れて、そのまま２時間放置する。その後前記ポリ袋の口を綴じて、本格的に冷凍保存（７）する。そのまま１年後に、冷凍保存（７）より取り出して水の中で、保存用ポリ袋（６）から出して、自然解凍（８）を行い、水が綺麗になるところまで、丹念に水洗い（９）をすれば良い。
【図面の簡単な説明】
【０００７】
【図１】  本発明の前処理説明図である。
【図２】  本発明の実施説明図である。
【符号の説明】
【０００８】  １  新鮮ワラビ
２  樽容器
３  灰
４  押さえ蓋
５  重石
６  保存用ポリ袋
７  冷凍保存
８  自然解凍
９  水洗い
１０  ７０℃の湯
【図１】
2007325578.tif 000003
【図２】
2007325578.tif 000004
(57)【要約】      （修正有）【課題】エビの取り扱いを容易にする串刺しエビの構造を提供する。【解決手段】串刺しエビは、串に取り付けられた少なくとも一匹のエビを有する串４を含み、該殻を剥いた中央部１を有する個々のエビが、殻を剥いていない頭部２と殻を剥いていない尾部３との間で画定され、該串刺しエビは、中央部に串によって穴を開けることなく串４の片側で中央部１が伸びる様式で、個々のエビの頭部２および尾部３を通して串４が取り付けられることを特徴とし、好ましくは該エビは、頭部と尾部を合わせて並べて二匹一組で取り付けられている。【選択図】図２
2007325589.tif 000002
【特許請求の範囲】
【請求項１】
串に取り付けられた少なくとも一匹のエビを有する串（４）を含む串刺しエビであって、殻を剥いた中央部（１）を有する個々のエビが、殻を剥いていない頭部（２）と殻を剥いていない尾部（３）との間で画定され、当該串刺しエビは、中央部に串によって穴を開けることなく串（４）の片側で中央部（１）が伸びる様式で、個々のエビの頭部（２）および尾部（３）を通して串（４）が取り付けられることを特徴とする。
【請求項２】
該尾部（３）が、該串（４）と角度（Ａ）を形成することを特徴とする請求項１に記載の串刺しエビ。
【請求項３】
該串刺しエビが、二匹一組で且つ頭部と尾部を合わせて並べて取り付けられた複数のエビを含むことを特徴とする請求項１または請求項２のいずれか一項に記載の串刺しエビ。
【発明の詳細な説明】
【技術分野】
【０００１】
本発明は、串刺しエビに関する。
【背景技術】
【０００２】
公知の串刺しエビ料理は、殻を剥いていない頭部と殻を剥いていない尾部との間に伸びる殻を剥いた中央部を含む個々のエビ（ｓｈｒｉｍｐ）と、そこに取り付けられたエビを有する串を含む。
【０００３】
既存の串刺しエビでは、個々のエビは、エビ全体を通って、すなわち頭部、中央部、および尾部を通って、縦方向に串を通すことによって取り付けられる。エビが料理された後で食べるためには、頭部および尾部を切り離し、そして中央部を食べることが出来るように、串に沿ってエビをずらすことによって串を抜くことが必要である。
【０００４】
特にエビが、そうしたタイプの料理の専門レストランで提供される場合は、その取り扱いは厄介である。
さらに、エビは串の全長に沿って伸びていると、エビを少数しか個々の串に取り付けられない。
【発明の開示】
【発明が解決しようとする課題】
【０００５】
本発明の目的は、串刺しエビに、エビの取り扱いを容易にする構造の提供を提案することである。
【課題を解決するための手段】
【０００６】
目的を達成するために、本発明は、串に取り付けられた少なくとも一匹のエビを有する串、殻を剥いていない頭部と殻を剥いていない尾部との間で画定される殻を剥いた中央部を有する個々のエビ、中央部に串によって穴を開けることなく串の片側で中央部が伸びる様式で、個々のエビの頭部および尾部を通して串が取り付けられることを特徴とする串刺しエビ、を含む串刺しエビを与える。
【０００７】
従って、調理の後で頭部と尾部との境目でエビを単に切断するだけで、殻を剥いた中央部を分離できる。
本発明の好都合な態様では、尾部が串とある角度をなす。尾部のこの傾きはエビの中央部弓なりに曲げ、そしてエビが串でより短い長さを占有する結果となる。
【０００８】
本発明の好ましい態様では、エビは、頭と尾を合わせて並べて二匹一組で取り付けられる。これは一本の串上に取り付けられるエビの数を増加させることが可能である。
【発明を実施するための最良の形態】
【０００９】
図１を参照すると、本発明の串刺しエビは、従来の様式で殻を剥いていない頭部２と殻を剥いていない尾部３との間で、伸びる殻を剥いた中央部１を含む個々のエビで出来ている。
【００１０】
本発明に従い、頭部を貫通した後で、串４が殻を剥いた中央部を貫通することなく頭部を残すように、該中央部が串４の片側に位置して、串４を下端に近い頭部２の一部分を通すことによって、串４にエビが取り付けられる。好ましくは殻を剥いた中央部１が弓なりになるように串４に対して角度Ａで尾部を保持している間に、串４を尾部３に貫通させる。
【００１１】
エビが調理された後で殻を剥いた中央部１を食べるために、頭部２の端および尾部３の端でエビを切断するのに充分であることがわかるであろう。
図２は、串上の取り付けられたエビの数を増加させること、そして串刺しエビを皿の上に直接配置することができる楽しい実演を与えることの両方を可能にする本発明の好ましい態様を示す。この態様では、エビは頭と尾を合わせて並べて二匹一組で取り付けられる。この目的のために、串４に最初に第１のエビの尾部３を通し、そして次に第２のエビの頭部２を通し、第１のエビの頭部２を通し、そして最後に第２のエビの尾部３を通す。その結果エビの中央部１が串４の両側上に伸びる。
【００１２】
図３に示すように、エビの中央部１が食べられると、殻を剥いていない部分が串４に付いたまま残る。該串４が使い捨ての串である場合は、その全ての残りを次にごみ入れに捨てれば足りる。あるいは、該串４が回収可能である場合は、ごみが串４から容易に除去されるように、個々の殻を剥いていない部分が、串４を串の短い長さだけで貫通していることがわかるであろう。
【００１３】
当然ながら、本発明は記載された態様に限定されず、そして請求項によって画定された本発明の範囲を超えることなく、種々の態様が適用可能である。
特に、エビが頭部と尾部を合わせて取り付けられるのに充分なだけしか、図中のエビは湾曲していないが、中央部１がさらにきつく湾曲し、そして個々のエビが串４の長さをより短く占拠するように、串４に対する尾部３の角度Ａは増加させることができる。
【００１４】
好ましい態様では、エビは二匹一組で一緒にグループをなし、そして頭部と尾部を合わせて取り付けられるが、例えば三つ一緒に組をなし、その結果第３のエビが串の反対側上でエビの実の部分が伸び、隣接した尾部をまたいで取り付けられる一方で、２匹のエビが尾部と尾部を合わせて串の片側上に配置される他の配置で取り付けることが出来る。串刺しエビは、ただ一つのエビを含むことも可能である。
【図面の簡単な説明】
【００１５】
添付の図を参照して与えられる特別な限定されない本発明の態様についての以下の記載を読むことで、発明の他の特徴および利点が明らかになる：
【図１】図１は本発明に従って取り付けられた一匹のエビを含む串刺しエビの側面図である；
【図２】図２は頭部と尾部を合わせて取り付けられた２匹のエビを有する串刺しエビの側面図であり；そして、
【図３】図３は殻を剥いた中央部を切断後の、図２の串刺しエビの側面図である。
【図１】
2007325589.tif 000003
【図２】
2007325589.tif 000004
【図３】
2007325589.tif 000005
【外国語明細書】
2007325589000001.pdf
(57)【要約】【課題】履き心地がよく、足から抜けにくいスリッパを提供する。【解決手段】底部材の土踏まずが面する部位に膨らみ部が設けられているスリッパにおいて、当該膨らみ部がポリウレタン発泡体からなる。【選択図】図１
2007325692.tif 000002
【特許請求の範囲】
【請求項１】
底部材の土踏まずが面する部位にポリウレタン発泡体からなる膨らみ部が設けられていることを特徴とするスリッパ。
【請求項２】
甲裏にポリウレタン発泡体が設けられ、膨らみ部のポリウレタン発泡体が密度４５．００〜５０．００ｋｇ／ｍ3、反発弾性率１．０〜１．５％、押込み量２５％での硬さ１００〜１２０Ｎ、圧縮残留歪み１５．０〜２５．０％のものであることを特徴とする請求項１に記載のスリッパ。
【請求項３】
甲の厚みが１０ｍｍ、膨らみ部の最も厚い部位の厚みが２０ｍｍであることを特徴とする請求項１又は２に記載のスリッパ。
【発明の詳細な説明】
【技術分野】
【０００１】
本発明は、底部材の土踏まずが面する部位にポリウレタン発泡体からなる膨らみ部が設けられている、抜けにくいスリッパに関するものである。
【背景技術】
【０００２】
高齢者等の足の感覚が健常者ほどない人は、スリッパを一旦履いた後で、足からスリッパが抜けてしまうという問題があった。この問題を解決するために、中央部にスポンジで膨らみを付けた履物（例えば、特許文献１参照）、底板部の土踏まず近傍が高くなるように湾曲状に形成された弾性体が設けられた履物（例えば、特許文献２参照）が検討された。
【特許文献１】特開２００３−１６９７０１号公報
【特許文献２】実用新案登録第３１１４８５５号公報
【発明の開示】
【発明が解決しようとする課題】
【０００３】
特許文献１には、スポンジの材質が明示されていない。当該スポンジを、土踏まずにフィットする変形し易い軟らかい素材にすると、当該スポンジが踏まれ続けるうちに体重により押しつぶされて平らな形状になり、スリッパから足が抜け易くなってしまう。また、当該スポンジを、硬い素材にすると、当該スポンジが踏まれても土踏まずの形状に合わせて変形しにくく、スリッパの履き心地が悪くなる。
【０００４】
従って、従来の中央部にスポンジで膨らみを付けたスリッパについて、スポンジが踏まれたときには土踏まずの形状に沿って変形されるが押しつぶされず、踏まれていないときは元の形状に戻る素材については検討されていなかった。
【課題を解決するための手段】
【０００５】
本発明のスリッパは、底部材の土踏まずが面する部位にポリウレタン発泡体からなる膨らみ部が設けられていることを特徴とするものである。また、本発明のスリッパは、甲裏にポリウレタン発泡体が設けられ、膨らみ部のポリウレタン発泡体が密度４５．００〜５０．００ｋｇ／ｍ3、反発弾性率１．０〜１．５％、押込み量２５％での硬さ１００〜１２０Ｎ、圧縮残留歪み１５．０〜２５．０％のものであることを特徴とするものである。更に、本発明のスリッパは、甲の厚みが１０ｍｍ、膨らみ部の最も厚い部位の厚みが２０ｍｍであることを特徴とするものである。
【発明の効果】
【０００６】
本発明のスリッパの底部材の土踏まずが面する部位に設けられているポリウレタン発泡体からなる膨らみ部が踏まれると、膨らみ部は土踏まずの形状に合わせて変形されるから、本発明のスリッパは履き心地がよいものである。また、当該膨らみ部が平らにつぶされることはなく、踏まれていないときは元の形状に復元されるから、本発明のスリッパは、歩行中、甲と膨らみ部で常に足を挟み込んで足から抜けることが防止される。
【発明を実施するための最良の形態】
【０００７】
本発明のスリッパの底部材の土踏まずが面する部位に設けられた密度４５．００〜５０．００ｋｇ／ｍ3、反発弾性率１．０〜１．５％、押込み量２５％での硬さ１００〜１２０Ｎ、圧縮残留歪み１５．０〜２５．０％のもの（以下、「低反発ポリウレタン発泡体」という。）が好ましい。低反発ポリウレタン発泡体は、反発弾性が非常に小さいものであるから、付加される衝撃及び振動の吸収性が高いものである。また、低反発ポリウレタン発泡体は、付加された圧力のとおりに変形され、付加された圧力が除かれるとゆっくり元の形状に復元されるものである。
【０００８】
低反発ポリウレタン発泡体としては、中国の南通凱業海綿製品有限公司から市販されているものが例示できる。
【実施例】
【０００９】
本発明のスリッパの実施例を図1に基づいて説明する。本発明のスリッパの甲の裏側にはポリウレタン発泡体が設けられている。本発明のスリッパの底部材には、土踏まずが面する部位に低反発ポリウレタン発泡体からなる膨らみ部が設けられている。当該低反発ポリウレタン発泡体は南通凱業海綿製品有限公司製のものであり、そのかさ密度は４８．０５ｋｇ／ｍ3、反発弾性率は１．２％、押込み量２５％での硬さは１０９Ｎ、圧縮残留歪みは１９．７％である。かさ密度、反発弾性率、押込み量２５％での硬さ及び圧縮残留歪みは下記に示す条件で測定された。
（１）かさ密度；ＪＩＳ  Ｋ  ７２２２に従い、縦８０ｍｍ、横８０ｍｍ、厚さ１０ｍｍの試験片を２３℃で測定した。
（２）反発弾性率；ＪＩＳ  Ｋ  ６４００−３に従い、縦１００ｍｍ、横１００ｍｍ、厚さ１０ｍｍの試験片を５枚重ね、２３℃で１００ｍｍ／ｍｉｎで押込み量８０％まで２回圧縮して１０分放置し、ＪＩＳ  Ｂ  １５０１に規定する５／８の鋼球を４９７ｍｍの高さから落下させ測定した。
（３）硬さ試験；ＪＩＳ  Ｋ  ６４００−２  Ｂ法に従い、縦３３０ｍｍ、横３３０ｍｍ、厚さ１０ｍｍの試験片を５枚重ね、２３℃で１００ｍｍ／ｍｉｎで押込み量７０％まで２回圧縮後、（株）オリエンテック製テンシロンＵＣＴ−５Ｔ型を用いて測定した。
（４）圧縮残留歪み；ＪＩＳ  Ｋ  ６４００−４  Ｂ法（押込み量５０％）に従い、縦５０ｍｍ、横５０ｍｍ、厚さ１０ｍｍの試験片を３枚重ね、２３℃で（株）キーエンス製レーザー変位計ＬＫ−Ｇ１５５を用いて測定した。
【００１０】
甲の裏側に設けられたポリウレタン発泡体の厚みが１０ｍｍ、膨らみ部の最も厚い部位の厚みが２０ｍｍである場合、本発明のスリッパは最も履き心地がよく、足から抜けにくいものとなる。
【図面の簡単な説明】
【００１１】
【図１】スリッパの斜視図
【符号の説明】
【００１２】
１  甲
２  膨らみ部
【図１】
2007325692.tif 000003
(57)【要約】【課題】従来からあった靴等の履き物では、肥満体質者等の靴の裏面の踵部分が外側を中心にすり減っているが、これは、そっくり返ったような格好の歩行姿勢に起因すると考えられる。このような歩行姿勢の肥満体質者等の歩行姿勢を矯正できる靴等の履き物があったら良いので、このことが解消される靴等の履き物を作りたい。【解決手段】靴等の履き物本体1の、靴裏2の踵3及び足の裏4の内側に傾斜をつけて、靴等の履き物本体1と靴裏2が一体化した構造の歩行姿勢矯正用靴等の履き物を作る。【選択図】図1
2007325628.tif 000002
【特許請求の範囲】
【請求項１】
肥満体質者等の歩行姿勢を矯正できるように、靴等の履き物の、靴裏の踵及び足の裏内側に傾斜をつけた、靴等の履き物本体と靴裏が一体化した構造の歩行姿勢矯正用靴等の履き物。
【発明の詳細な説明】
【技術分野】
【０００１】
本発明は、肥満体質者等の歩行姿勢を矯正できるようにした靴等の履き物である。
【背景技術】
【０００２】
従来は、靴等の履き物で靴裏の踵及び足の裏内側に傾斜をつけたものはなかった。
【発明の開示】
【課題を解決するための手段】
【０００３】
靴等の履き物本体1の、靴裏2の踵3及び足の裏4内側に傾斜をつけた歩行姿勢矯正用靴等の履き物を作ることによって、日常生活において歩行姿勢を矯正できるようにした。
【発明の効果】
【０００４】
本発明により、肥満体質者等の歩行姿勢は、足裏の荷重が内側に向かってスム-ズに移動することによって矯正される。
以下、本発明の実施の形態について説明する。
(イ)    
靴等の履き物本体1の、靴裏2の踵3及び足の裏4内側に傾斜をつけて、靴等の履き物本体1と靴裏2が一体化した構造で作る。
(ロ)    
靴裏2の踵3内側は足の裏4内側よりも傾斜を大きくつける。
(ハ)    
靴裏2の外縁部は硬めの素材、中心部は柔めの素材で作る。
【実施例１】
【０００５】
図1は、本発明の靴裏2の形状を示す斜視図である。靴等の履き物本体1の、靴裏2の踵3及び足の裏4内側に、足裏の荷重が内側に向かってスム-ズに移動するように実線で図示した位置に傾斜をつけて、靴等の履き物本体1と靴裏2が一体化した構造で作る。靴裏2の外縁部は硬めの素材で、踵3及び足の裏4の中心部は足裏の負担軽減を図るために柔めの素材を使用して作る。
【０００６】
図2は、本発明の靴裏2の内側に傾斜をつけた踵3の切断図である。足裏の荷重が内側に向かって大きく移動するように、切断図のとおり足の裏4内側よりも傾斜を大きくつける。
【０００７】
図3は、本発明の靴裏2の内側に傾斜をつけた足の裏4の切断図である。足裏の荷重が内側に向かってなだらかに移動するように、切断図のとおり傾斜をなだらかにつける。
【図面の簡単な説明】
【０００８】
【図１】本発明の靴裏2の形状を示す斜視図である。
【図２】本発明の踵3の切断図である。
【図３】本発明の足の裏4の切断図である。
【符号の説明】
【０００９】
1        
靴等の履き物本体（左足）
2        
靴裏（左足）
3        
踵（左足）
4        
足の裏（左足）
5        
踵切断面（左足）
6        
足の裏切断面（左足）
a−-−b踵切断面箇所（左足）
c−-−d足の裏切断面箇所（左足）
【図１】
2007325628.tif 000003
【図２】
2007325628.tif 000004
【図３】
2007325628.tif 000005
(57)【要約】  【課題】風呂入浴中に手軽に安価で泡風呂を楽しめるようにし、風呂の湯を気泡や水流により攪拌することで、身体全体や一部分を暖め温浴効果を助ける。  【解決手段】      内部に湯を貯留することができ貯留部の底部に底部高低差７があるバケツ１とバケツ１の貯留部から底部を貫通し、または底部の穴につなぎ合わせてバケツ１に組み合わせる湯取込穴３と空気穴５とホース先端湯取込口４を有するホース２があり、バケツ１の上部から湯を貯留部へ入れると、湯取込穴３から浴槽１０内にホース２を通って湯が流れ始める。その後サイホン作用によってホース先端湯取込口４から湯が浴槽へ流れ、空気穴５から空気も取り込み湯泡口吐出口６へ出てくる。水流と気泡により簡易な泡風呂になる。  【選択図】  図１
2007325660.tif 000002
【特許請求の範囲】
【請求項１】
内部に湯を貯留することができ、貯留部の底部高低差７があるバケツ１を浴槽１０より高い位置に設置し、バケツ１の内側を通って底部を貫通または底部の穴にホースをつなぎ足したホース２を組み合わせるが、ホース２に貯留部の範囲内でホース先端湯取込口４と湯取込穴３、空気穴５がそれぞれ数個小さく開いている、バケツ１の底部を貫通延長または別のホースをつなぎ合わせることにより浴槽まで足りる長さがあり、ホース２の浴槽１０側には湯泡吐出口６があることを特徴とする簡易風呂泡発生バケツとホース
【発明の詳細な説明】
【技術分野】
【０００１】
本発明は風呂入浴中に水流と気泡により湯を攪拌し、温浴効果を助ける入浴用の簡易風呂泡発生バケツとホースに関するものである。
【背景技術】
【０００２】
泡風呂はエアーポンプ、水流ポンプを使用し浴槽に専用の吹き出し口を取り付けるものやホースを泡の吹き出し口に取り付けて使用するもの等、高価な設備が必要だった。また、泡の吹き出し口が固定されるものは身体の部位によって泡が当たらない部位があった。
【特許文献１】特開２００５−３２３８１９
【特許文献２】特開２００５−１６８８８０
【特許文献３】特開平１１−１３７６２４
【特許文献４】特開平０６−１４２１５２
【特許文献５】特開平０５−１６８６７２
【特許文献６】実開平０７−０３９８２８
【特許文献７】実開平０７−０３７１６７
【発明の開示】
【発明が解決しようとする課題】
【０００３】
風呂入浴中に手軽に安価で泡風呂を楽しめるようにし、風呂の湯を気泡や水流により攪拌し、身体全体または一部分を暖め温浴効果を助ける。
【課題を解決するための手段】
【０００４】
本発明では、安価なバケツ１とホース２を組み合わせることにより、手軽に簡易な入浴中の泡風呂を楽しむことができる。また、ホース２の湯泡吐出口６を身体のどの部位にも近づけることができるため、身体全体または一部分を暖めることができる。
【０００５】
内部に湯を貯留することができ貯留部の底部に高低差７があるバケツ１を浴槽１０より高い位置に設置し、バケツ１の内側を通って底部を貫通または、底部の穴にホースをつなぎ足したもの等、ホース２を組み合わせるが、ホース２に貯留部の範囲内でホース先端湯取込口４と湯取込穴３、空気穴５をそれぞれ数個小さく開けておく、バケツ１の底部を貫通延長または別のホースをつなぎ合わせることにより浴槽まで足りる長さがあり、ホース２の浴槽１０側には湯泡吐出口６がある。貯留部内のホース２のホース先端湯取込口４と空気穴５、湯取込穴３の位置関係は、上から空気穴５、ホース先端湯取込口４、湯取込穴３の順に下へ配置する。洗面器等を使用してこのバケツ１の上部から湯を貯留部へ汲み入れると、バケツ１の底部にある湯取込穴３から貯留部内の湯がホース２を通って浴槽１０内の湯泡吐出口６へ湯が流れはじめる。その後流れの吐出力が働きサイホン作用によりホース先端湯取込口４から貯留部の湯が吸い込まれ、湯泡吐出口６へ流れ出す。湯が浴槽へ流れ、同時に空気穴５から空気も取り込み湯泡吐出口６へ気泡の混ざった湯が出てくる、気泡と水流に浴槽内の湯に小さい対流が発生し浴槽内の湯を攪拌することにより簡易な泡風呂を楽しむことができる。また、ホース２の湯泡吐出口６を身体のどの部位にも近づけることができるため身体全体、または一部分を暖めることができる。
【発明の効果】
【０００６】
このようにバケツ１とホース２に数個小さな穴を開けたものを組み合わせることにより、バケツ１の上部から洗面器１杯程度の湯を入れるだけで、ポンプ等の動力を全く使用せずに１回当たり数分間の簡易泡風呂を楽しめる。
【実施例】
【０００７】
以下発明の実施例を図面について説明する。図２の如く、浴槽の上に安定に置けるように三角コーナー状で高さがあるバケツ１を用意した。またホース２は透明なものを使用して、湯や気泡が見えるようにした。
【０００８】
バケツ１の貯留部の上部に浴槽１０内の湯を洗面器で汲み入れた。ホース２の湯取込穴３から湯がホース２内に入り浴槽１０の方向へ流れ始めた。数秒後に湯泡吐出口６から気泡が混ざった湯が浴槽内に出始めた。ホース２の内径が小さいものは約１０分間気泡が出たが、湯気泡共に少なかった。内径が大きいものは約１分間湯と気泡が出た。またバケツ１と浴槽の湯面の高低差は離れているほど湯泡吐出口６から出る勢いがよく、時間が短くなった。
【図面の簡単な説明】
【０００９】
【図１】簡易風呂泡発生バケツとホースの気泡発生原理説明図
【図２】実施例１簡易風呂泡発生バケツとホースの使用例
【符号の説明】
【００１０】
１  バケツ
２  ホース
３  湯取込穴
４  ホース先端湯取込口
５  空気穴
６  湯泡吐出口
７  底部高低差
１０  浴槽
【図１】
2007325660.tif 000003
【図２】
2007325660.tif 000004
(57)【要約】      （修正有）【課題】固定電話機のスピーカと耳掛型補聴器、耳穴型補聴器とを容易に磁気結合させる手段を提供する。【解決手段】漏洩磁束が減少した電話機に漏洩コイル３を内包させる。【選択図】図２
2007325241.tif 000002
【特許請求の範囲】
【請求項１】
固定電話機より補聴器に電話信号を効率的に取り込むため、受話器のスピーカ近傍に漏洩コイルを内包することを特徴とする固定電話機の構造。
【請求項２】
漏洩コイルをスピーカ鉄心の外周に設けることを特徴とする固定電話機の構造。
【発明の詳細な説明】
【技術分野】
【０００１】  補聴器使用者が電話会話をするため電話機と補聴器とを結合する装置の構成にかかる。とくに使用補聴器が耳穴型補聴器または耳掛型補聴器である場合に有効である。
【背景技術】
【０００２】  従来、補聴器にはテレホンコイルが内臓されており、スピーカや信号トランスの漏洩磁束を拾って会話が出来るようになっている。
【発明の開示】
【発明が解決しようとする課題】
【０００３】  最近の固定電話機は従来の黒電話から著しく進化しており、受話器スピーカは高インピーダンス型に移行したためここよりの漏洩磁束は減少し、電話機内部の信号トランスも省略されてこの部より発生する磁束もなくなっており、固定電話機全体からの総漏洩磁束が著しく減少している。
このため従来のテレホンコイルによって固定電話機と補聴器を結合することが困難になっている。
これを改善するため発明者等は先に特願２００５−３８０９４２を出願し実用的解決を目指した。
しかしこの方法は箱型補聴器を用いる場合には極めて有効であるが、耳掛型補聴器あるいは耳穴型補聴器を用いる場合には不適当である。
【課題を解決するための手段】
【０００４】  固定電話機のスピーカに並列に漏洩磁束の多いコイル（以降漏洩コイルという）を接続する。その漏洩コイルは受話器内部に封入され、受話器のスピーカ近傍に設置される。この漏洩コイルのインピーダンスを受話器インピーダンスより十分高く選べば従来のスピーカ使用と漏洩コイルの結合を両立させることが出来る。
なおこのインピーダンス条件にこだわらない場合は電話機回路とスピーカ、漏洩コイル間に切り替えスイッチを設けても良い。【０００５】  漏洩コイルの磁束は電話信号に対応しているから、この漏洩磁束を補聴器内臓のテレホンコイルで採取すれば、補聴器と固定電話機を効率的に結合させることが出来る。固定電話機の受話器は通話時は外耳道近くに保持されろから漏洩コイルも外耳道近くに位置することになり、あらかじめ耳に装着している耳穴型補聴器あるいは耳掛型補聴器のテレホンコイルと至近距離で相対することになる。
【発明の効果】
【０００６】  固定電話機の改良によって磁気的に結合させることが困難になっている補聴器と電話機の結合が効率的に達成できるようになる。
とくに固定電話機のスピーカと耳掛型補聴器、耳穴型補聴器とを容易に磁気結合できるようになる。
【発明を実施するための最良の形態】
【０００７】  漏洩コイルとしては棒状コア長さ２０ｍｍ太さ１０×８ｍｍのフェライト材を用い、インピーダンス６００Ω程度の巻き線を施す。
これを固定電話機のスピーカと並列に接続しその近辺に設置する。
図１はその外形図である。
図１において固定電話機の受話器１のスピーカ１０付近に漏洩コイル２，３が内蔵されている。
２はフェライト材のコア、３は巻線である。
図２は固定電話機の回路図である。固定電話機の回路５は受話器のスピーカ１０に接続されているが、本発明ではここに並列に漏洩コイル３を接続する。
図３は本発明による漏洩コイルの構造図を示す。従来のスピーカ１０の鉄心１１の外周上にコイル１２を巻きつけて開磁路を作成したものであり、コイル１２は内径２５ｍｍ程度幅１５ｍｍ外形４０ｍｍ程度のものとなる。
漏洩コイル３、１２とスピーカ１０との間に切り替えスイッチを設けてそれぞれ単独に使用できるようにすることも可能であるが、説明は省略する。
なおここに記した構造、数値はあくまで一つの実施例にすぎない。
【図面の簡単な説明】
【０００８】
【図１】固定電話機の受話器の斜視図
【図２】本発明による固定電話機の回路図
【図３】本発明による漏洩コイルの構造例
【符号の説明】
【０００９】    １    固定電話機の受話器
２    フェライト材のコア
３    巻き線
５    固定電話機の回路
１０  スピーカ
１１  スピーカの鉄心
１２  コイル
【図１】
2007325241.tif 000003
【図２】
2007325241.tif 000004
【図３】
2007325241.tif 000005
(57)【要約】      （修正有）【課題】電磁誘導の相対性原理である、接近同極の斥力と磁束の連環作用を活用する。【解決手段】発電機として、第１の磁石と第２の集中巻きコイルとの相対運動による電磁誘導は第２に生じる起電力により接近同極となる、その第３の磁界領域において、第２Ｂ中央の中性点０ｘから異極の中心に至る第４領域と、同極との対極中心を過ぎてから中性点０ｘに至る第５領域を選択して機能させる斥力機関である。【選択図】図１
2007325485.tif 000002
【特許請求の範囲】
【請求項１】
第１と第２の第５領域を構成する、斥力機関。
【請求項２】
斥力を動力として、出力する方法の斥力機関。
【発明の詳細な説明】
【発明の詳細な説明】
【技術分野】発電機、動力機、変圧器、
【背景技術】  日本における希土類の永久磁石と超電導磁石の応用研究は進んでいる。動力機、発電機、変圧器、いずれも、単機能の省エネは研究されている。非常識とされる、バッテリーでモータを起動して他のモータから２倍以上の起電力を出力する方法は、夢の世界である。省エネは常識であるが、複合機能として省エネを考えるとき、思っている以上に、その効果には大きいものがある、夢のような世界にご案内する。
【発明を解決するための課題】
電磁誘導の相対性原理である、接近同極の斥力と磁束の連環作用を活用する方法と構成を課題とする。
【課題を解決するための手段】
発電機として、第１の磁石と第２の集中巻きコイルとの（図１，参照、第１のＮ極に対応するコイルをＡＢＣとする）相対運動による電磁誘導は第２に生じる起電力により接近同極となる、その第３の磁界領域において、第２Ｂ中央の中性点０ｘから異極の中心に至る第４領域と、同極との対極中心を過ぎてから中性点０ｘに至る第５領域を選択して機能させる斥力機関である。
動力機として、第１の磁石と第２の集中巻きコイルとの磁極中心に生じる、斥力を動力として、出力する方法の斥力機関である。
変圧器として、第２のＡＢＣを並列にパルスで入力すると磁束の連環作用でひとつのソレノイドとなる、Ｓ極対応のａｂｃを誘起コイルとして縦列につなぎ出力すると、巻き数の変化による相互誘導で変圧した起電力を出力する、第１との電磁誘導を加えた、斥力を動力として出力する方法の斥力機関である。
複合機能として、電気入力、電磁誘導、慣性動力、相互誘導、を問わず、いずれも共通項は、斥力を動力として出力する方法の斥力機関である。
【発明を実施する形態】
図１、参照（軸中央の直角断面を正面図とした、断面斜線は省略した。）第１の磁極を矢印で示す、第２の集中巻きコイルを縦列に固定する。第１と第２の第５領域を構成する斥力機関である。
【発明の効果】
電磁誘導の相対性原理を証明した。反作用は推進力に等しい。永久磁石はエネルギー源である。アラジンの魔法のランプに石油が無くとも、こすれば大きな男が現れて願い事をかなえてくれると言う。
【発明の効果】
日本の経済と戦略、日本経済の石油依存度は５０％を超え、その内、中東依存度は９０％近くとなっている。世界の商用エネルギーの９０％は化石燃料である、経済の発展も首をしめるのも石油である。それからの脱却には、エネルギー源の転換が必要である、炭素排出の制限、地球温暖化防止、地球の環境保全、人々の想いが問題を解決する、世界一強力な磁石の特許は日本にある、応用技術も優れている、日本でランプを作ることが出来るのである。分散発電、携帯発電によるエネルギー革命は２００６年から始まる。制品化には、企業の参加を願っている。
特許法の目的と意義、ＩＴ時代の国内法、外交後進国の島国、日本では、特許料が高い、外国出願の費用まで含めると大変な額になる、先進国との相互条約があれば軽減できる、情報公開は無料で行っている。国益となる特許は、発明者の能力と資金と欲に依存している。資金力のない発明者の首をしめるのはネクタイだけにしてもらいたい。
【図面の簡単な説明】
【図１】軸中央の断面を正面図とした、但し、斜線は省略した。
【符号の説明】
第１、磁石の磁極を矢印で示す。第２、集中巻きコイルを縦列に固定した、Ｎ極に対応するコイル郡をＡＢＣとする、Ｓ極に対応するコイル郡をａｂｃとする。第３、第１の磁界領域。第４、誘導では制動領域、異極の案内方向。第５、斥力の動力領域。０ｘ、中性点。
【図１】
2007325485.tif 000003